(57)【要約】【課題】コスト安で効率良くネジ締め作業を行える特殊な構造のネジと、そのネジを収納するネジ収納具を提供する。【解決手段】ねじ山が形成された軸体の先端部形状をネジ回し３００の刃先３１３と同形状としたネジ４００を用いることで、ネジ４００の頭部に後続のネジ４００の先端部を係合させた直列状態で連結可能とし、複数のネジ４００が直列状に収納されたネジ収納具５００の後端開口５０２へネジ回し３１０のシャフト３１１を差し入れて最後端側のネジ４００に刃先３１３を係合し、ネジ収納具５００の先端開口５０１をネジ穴３０１に合わせ、ネジ回し３１０を強めに押し込んだ上で、ネジ締め方向にネジ回し３１０を回すことで、最先端側のネジ４００をネジ穴３０１に締め付ける。【選択図】図３
2006064135.tif 000002
【特許請求の範囲】
【請求項１】
外周面にネジ山を形成した軸体の一方端に、ネジ回しの刃先と係合する係合部を有する大径の頭部を形成したネジにおいて、
前記軸体の他方端である先端部を、頭部の係合部に係合し得る係合形状としたことを特徴とするネジ。
【請求項２】
前記請求項１に記載のネジを、軸体の回転心が一直線上に揃う状態で複数個収納し得るように、ネジ穴に止め付けるネジを送り出す先端開口からネジ回しの刃先を挿入する後端開口にかけて連通する略円筒状のネジ収納空部を備え、
前記ネジ収納空部の先端開口側の適所には、常態では最も先端開口側にあるネジの頭部に当接してネジが先端開口へ抜け出すことを防止し、ネジに後端開口から先端開口側に向かう適宜な押圧力が与えられるとネジが先端開口へ抜け出すことを許容するストッパ手段を設けたことを特徴とするネジ収納具。
【請求項３】
前記ストッパ手段は、ネジ収納空部を形成する内壁面から突出する有弾性の凸部とし、該凸部の形状は、最膨出部が先端開口寄りに生じ、最膨出部から先端開口に向う傾斜よりも最膨出部から後端開口へ向う傾斜をなだらかとしたことを特徴とする請求項２に記載のネジ収納具。
【請求項４】
前記ストッパ手段を、ネジ収納空部の両開口端から夫々等距離の位置に各々設けることで、ネジ収納空部の両開口を先端開口としても後端開口としても利用できるようにしたことを特徴とする請求項２に記載のネジ収納具。
【請求項５】
所定の位置に凸部を設けた可撓性の長方形平面板を、前記凸部を設けた面を内面とするように所要径の筒状に巻き込むことでネジ収納空部を形成すると共に、前記凸部をストッパ手段として用いることを特徴とする請求項２〜請求項４の何れか１項に記載のネジ収納具。
【請求項６】
前記長方形平面板の凸部を有する面には、収納するネジに応じた径のネジ収納空部が形成できるように、巻き込み始める内側辺を当接する位置の指標となる指標部を設け、前記内側辺と対向する外側辺の内面側に形成した接着部により、巻き上げた長方形平面板を筒状に保持するようにしたことを特徴とする請求項５に記載のネジ収納具。
【請求項７】
外周面にネジ山を形成した軸体と大径の頭部とを交互に設けることで、軸体と頭部とから成るネジ形成部を複数連結した構造で、各ネジ形成部の連結部位には、予め定めた所要の分離手法により容易に分離させ得る分離部を設けたことを特徴とする連結ネジ部材。
【請求項８】
前記請求項６に記載の連結ネジ部材を収納し得るように、連結ネジ部材における最先端側のネジ形成部の軸体をネジ穴に送り出す先端開口からネジ回しの刃先を挿入する後端開口にかけて連通する略円筒状の連結ネジ部材収納空部を備え、
前記連結ネジ部材収納空部の先端開口側の適所には、常態では最先端側にあるネジ形成部の頭部に当接して連結ネジ部材が先端開口へ抜け出すことを防止し、連結ネジ部材に後端開口から先端開口側に向かう適宜な押圧力が与えられるとネジ形成部の頭部が先端開口へ抜け出すことを許容するストッパ手段を設けたことを特徴とする連結ネジ部材収納具。
【発明の詳細な説明】
【技術分野】
【０００１】
本発明は、外周面にネジ山を形成した軸体の一方端に、ネジ回しの刃先と係合する係合部を有する大径の頭部を形成してなるネジと、このネジを収納するネジ収納具に関する。
【背景技術】
【０００２】
近年、スロットマシン等の遊技台においては、遊技性を盛り上げるための演出装置やセキュリティを向上させるためのセンサー等の様々な装置を備えるようになっており、スロットマシン本体内に取り付ける部品点数が増加しており、組み立て作業が繁雑なものとなっていた。特に、部品を取り付ける際のネジ締め作業においては、１回毎にネジを手で掴みドライバーで締め付けるといった工程を繰り返さなければならず、作業効率の悪さが指摘されていた。
【０００３】
このような、連続したネジ締め作業を可能とするため、ネジ繰出し機構からネジ供給機構へ１個ずつネジを繰り出し、繰り出されたネジをネジ供給機構がドライバー機構のネジ供給部へ自動供給し、ドライバー機構による連続的なネジ締めが可能な自動ネジ締め装置が提案されている（例えば、特許文献１を参照）。
【０００４】
【特許文献１】特開平７−１３６８６９号公報
【０００５】
しかし、上記特許文献１に記載の自動ネジ締め装置は、比較的規模の大きな装置構造を採らざるを得ないため、狭いスペースでのネジ締め付け作業には適していない。加えて、機械設備の導入はコスト高になるといった問題もある。
【発明の開示】
【発明が解決しようとする課題】
【０００６】
このような問題点に鑑み、本発明は、コスト安で効率良くネジ締め作業を行えるネジとネジ収納具の提供を目的とするものである。
【課題を解決するための手段】
【０００７】
上記の課題を解決するために、請求項１に係る発明は、外周面にネジ山を形成した軸体の一方端に、ネジ回しの刃先と係合する係合部を有する大径の頭部を形成したネジにおいて、上記軸体の他方端である先端部を、頭部の係合部に係合し得る係合形状としたことを特徴とする。
【０００８】
また、請求項２に係る発明は、上記請求項１に記載のネジを、軸体の回転心が一直線上に揃う状態で複数個収納し得るように、ネジ穴に止め付けるネジを送り出す先端開口からネジ回しの刃先を挿入する後端開口にかけて連通する略円筒状のネジ収納空部を備え、上記ネジ収納空部の先端開口側の適所には、常態では最も先端開口側にあるネジの頭部に当接してネジが先端開口へ抜け出すことを防止し、ネジに後端開口から先端開口側に向かう適宜な押圧力が与えられるとネジが先端開口へ抜け出すことを許容するストッパ手段を設けたことを特徴とする。
【０００９】
また、請求項３に係る発明は、上記請求項２に記載のネジ収納具において、ストッパ手段は、ネジ収納空部を形成する内壁面から突出する有弾性の凸部とし、該凸部の形状は、最膨出部が先端開口寄りに生じ、最膨出部から先端開口に向う傾斜よりも最膨出部から後端開口へ向う傾斜をなだらかとしたことを特徴とする。
【００１０】
また、請求項４に係る発明は、上記請求項２に記載のネジ収納具において、上記ストッパ手段を、ネジ収納空部の両開口端から夫々等距離の位置に各々設けることで、ネジ収納空部の両開口を先端開口としても後端開口としても利用できるようにしたことを特徴とする。
【００１１】
また、請求項５に係る発明は、上記請求項２〜請求項４の何れか１項に記載のネジ収納具において、所定の位置に凸部を設けた可撓性の長方形平面板を、上記凸部を設けた面を内面とするように所要径の筒状に巻き込むことでネジ収納空部を形成すると共に、上記凸部をストッパ手段として用いることを特徴とする。
【００１２】
また、請求項６に係る発明は、上記請求項５に記載のネジ収納具において、上記長方形平面板の凸部を有する面には、収納するネジに応じた径のネジ収納空部が形成できるように、巻き込み始める内側辺を当接する位置の指標となる指標部を設け、上記内側辺と対向する外側辺の内面側に形成した接着部により、巻き上げた長方形平面板を筒状に保持するようにしたことを特徴とする。
【００１３】
上記の課題を解決するために、請求項７に係る発明は、外周面にネジ山を形成した軸体と大径の頭部とを交互に設けることで、軸体と頭部とから成るネジ形成部を複数連結した構造で、各ネジ形成部の連結部位には、予め定めた所要の分離手法により容易に分離させ得る分離部を設けたことを特徴とする。
【００１４】
また、請求項８に係る発明は、上記請求項７に記載の連結ネジ部材を収納し得るように、連結ネジ部材における最先端側のネジ形成部の軸体をネジ穴に送り出す先端開口からネジ回しの刃先を挿入する後端開口にかけて連通する略円筒状の連結ネジ部材収納空部を備え、上記連結ネジ部材収納空部の先端開口側の適所には、常態では最先端側にあるネジ形成部の頭部に当接して連結ネジ部材が先端開口へ抜け出すことを防止し、連結ネジ部材に後端開口から先端開口側に向かう適宜な押圧力が与えられるとネジ形成部の頭部が先端開口へ抜け出すことを許容するストッパ手段を設けたことを特徴とする。
【発明の効果】
【００１５】
請求項１に係るネジによれば、軸体の先端部を、頭部の係合部に係合し得る係合形状としたので、ネジ頭部の係合部に他のネジの先端部を係合させることで、ネジを直列状に接続すると、最後端側のネジの頭部の係合部にネジ回しの刃先を係合させてネジ締め方向へ回すと、直列状に接続された全てのネジがネジ締め方向へ回ることとなり、最先端側のネジをネジ穴に締め付けることができる。
【００１６】
請求項２に係るネジ収納具によれば、上記請求項１に記載のネジを直列状に複数接続した状態でネジ収納空部内に収納でき、しかも、ストッパ手段により、常態においてはネジが先端開口へ抜け出すことを防止し、ネジ締めに際して適宜な押圧力を与えると先端開口から最先端側のネジを抜け出させ、ネジ穴へ締め付けることができる。
【００１７】
また、請求項３に係るネジ収納具によれば、ネジ収納空部を形成する内壁面から突出する有弾性の凸部をストッパ手段とし、その凸部の形状は、最膨出部が先端開口寄りに生じ、最膨出部から先端開口に向う傾斜よりも最膨出部から後端開口へ向う傾斜をなだらかとしたので、ネジ締め作業に際してネジを先端開口へ押し出すことが容易となり、且つ、一旦凸部を越えて押し出されたネジが再び凸部を越えてネジ収納空部内に戻り難い構造となる。
【００１８】
また、請求項４に係るネジ収納具によれば、ネジ収納空部の両開口端から夫々等距離の位置に各々ストッパ手段を設けることで、ネジ収納空部の両開口を先端開口としても後端開口としても利用でき、ネジ補給に際しての作業性向上を期せる。
【００１９】
また、請求項５に係るネジ収納具によれば、所定の位置に凸部を設けた可撓性の長方形平面板を、凸部を設けた面を内面とするように所要径の筒状に巻き込むことでネジ収納空部を形成すると共に、凸部をストッパ手段として用いるので、ネジ収納具を低コストで簡便に作製できる。
【００２０】
また、請求項６に係るネジ収納具によれば、長方形平面板の凸部を有する面には、収納するネジに応じた径のネジ収納空部が形成できるように、巻き込み始める内側辺を当接する位置の指標となる指標部を設け、内側辺と対向する外側辺の内面側に形成した接着部により、巻き上げた長方形平面板を筒状に保持するようにしたので、使用するネジに応じたネジ収納空部を有するネジ収納具を簡便に作製できると共に、予め形成した接着部を用いることで一層作業性を高め得る。
【００２１】
請求項７に係る連結ネジ部材によれば、複数のネジ形成部を直列状に一体とした連結ネジ部材は、どのネジ形成部をネジ締め方向へ回しても、最先端側のネジ形成部をネジ締め方向へ回すことができるので、最先端側のネジ形成部をネジ穴に合わせた後に連結ネジ部材をネジ締め方向へ回すと、最先端側のネジ形成部をネジ穴に締め付けることができ、ネジ穴に締め込んだネジ形成部と後続のネジ形成部との間にある分離部を用いて分離させると、最先端側のネジはネジ穴に締め付けられたネジとして残る。
【００２２】
請求項８に係る連結ネジ部材収納具によれば、上記請求項６に記載の連結ネジ部材収納具を連結ネジ部材収納空部内に収納でき、しかも、ストッパ手段により、常態では最先端側にあるネジ形成部の頭部に当接して連結ネジ部材が先端開口へ抜け出すことを防止し、ネジ締めに際して適宜な押圧力を与えると先端開口から最先端側のネジ形成部を抜け出させ、ネジ穴へ締め付けることができる。
【発明を実施するための最良の形態】
【００２３】
以下、本発明の実施形態を、添付図面に基づいて詳細に説明する。まず、本発明に係るネジおよびネジ収納具を用いることで効率の良いネジ締め作業を行うことができる遊技台について簡単に説明しておく。
【００２４】
図１は、スロットマシン１００の外観を示す斜視図である。図１に示すように、スロットマシン１００の中央内部には、外周面に複数種類の絵柄（「７」、「Ｂａｒ」、「ベル」、「リプレイ」等の文字や記号：図示省略）を配列した円筒状のリールが３個（左リール１１０、中リール１１１、右リール１１２）収納され、本体２０１の内部で回転できるように構成されている。本体２０１の両サイドには、取手部２０１ｃが設けられ、スロットマシン１００の運搬の際に利用される。
【００２５】
前面扉１０１には、リール表示窓１１３が設けられており、リール１１０〜１１２を正面から眺めると、これに施された絵柄がリール表示窓１１３から縦方向に３つ見えるようになっている。つまり、全リール１１０〜１１２が停止した場合、遊技者は、３×３の合計９個の絵柄を見ることができる。これらのリール１１０〜１１２が回転し、停止することにより、様々な絵柄の組み合せがリール表示窓１１３に表示されることになる。なお、本実施形態では、３個のリールを備えるものとしたが、リールの数やリールの設置位置はこれに限定されるものではない。
【００２６】
各リール１１０〜１１２の裏側には、リール表示窓１１３上に表示される個々の絵柄を照らすためのバックライト（図示せず）が配置されている。バックライトは、例えば、７色（赤、緑、青紫の三原色と、白色等をはじめとするこれらの混合色）の光を発することが可能であり、各原色に対応したＬＥＤ等を含んで構成される。
【００２７】
入賞ライン表示ランプ１２０は、遊技毎に有効となる入賞ライン１１４を示すランプである。有効となる入賞ライン１１４は、スロットマシン１００に投入された遊技媒体（本実施形態ではメダルを想定する。）の枚数によって変化する。例えば、図１に示すように５本の入賞ライン１１４を有する場合、メダルを１枚投入したときは中段の水平入賞ライン、２枚投入したときは、上段の水平入賞ラインおよび下段の水平入賞ラインを加えた３つの入賞ライン、３枚投入したときは更に２本の斜めの入賞ラインを加えた５ラインが有効となり、有効な入賞ライン１１４上に揃った絵柄の組み合せにより入賞が判断されることとなる。勿論、入賞ラインの数は５本に限定されるものではない。
【００２８】
スタートランプ１２１は、リール１１０〜１１２が回転することができる状態にあることを遊技者に知らせるランプである。再遊技ランプ１２２は、入賞役である再遊技に入賞したとき（例えば、リプレイ−リプレイ−リプレイの再遊技絵柄の組み合せが入賞ライン１１４上に揃ったとき）、遊技者へ次の遊技が再遊技であることを知らせるランプである。再遊技の場合、次遊技において遊技媒体であるメダルの投入が免除される。
【００２９】
告知ランプ１２３は、特別な入賞役（例えば、ビッグボーナス（ＢＢ）やレギュラーボーナス（ＲＢ））に内部当選した状態にあることを遊技者に報知するランプである。メダル投入ランプ１２４は、遊技開始にあたって遊技者にメダルの投入が必要であることを報知するランプである。
【００３０】
メダル投入枚数表示ランプ１２５は、遊技者が投入したメダル枚数を表示するランプである。本実施形態では、１回の遊技に最大３枚までメダル投入できるので、縦に配置した３つのランプを用いてメダル投入枚数を表示している。無論、ランプで表示する他に７セグメント表示器等で直接メダル投入枚数を表示しても良い。
【００３１】
払出枚数表示器１２６は、メダルの払い出しのある何らかの入賞役に入賞したとき、遊技者へ払い出されるメダルの枚数を表示する表示器である。遊技回数表示器１２７は、ビッグボーナスゲーム中の一般ゲームの回数等を表示する表示器である。貯留枚数表示器１２８は、電子的に貯留（クレジット）しているメダルの枚数を表示する表示器である。演出用ランプ１２９は、遊技の興趣を高めるための演出に使用されるランプである。
【００３２】
メダル投入ボタン１３１，１３２は、貯留されたメダルをスロットマシン１００へ電子的に投入するための投入ボタンであり、いわゆるベットボタンと呼ばれているものである。本実施形態では、３枚メダル投入ボタン１３１（最大枚数のメダルを投入できる、いわゆるマックスベットボタン）と、１回押下するごとに１枚のメダルを投入する１枚メダル投入ボタン１３２とを有し、これらのボタンのいずれかを押下することにより遊技に必要な１〜３枚のメダルがスロットマシン１００へ電子的に投入される。２枚のメダルを投入する場合は、１枚メダル投入ボタン１３１を２回押下することとなる。投入されたメダル枚数分は、現在の貯留枚数から減算されて残枚数が貯留枚数表示器１２８に表示される。
【００３３】
メダル投入口ブロック１３３は、遊技を開始するに当たって遊技者が直接メダルを投入するための開口を有する。メダルを直接投入した際に、メダル投入口直下にあるメダルセレクターユニット（図示せず）内にメダルが詰まってしまった場合は、メダルキャンセルスイッチ１３３ａを操作することによってメダルの詰まりを解消させる。スタートレバー１３５は、遊技の開始操作として、リール１１０〜１１２の回転を開始させるレバー型のスイッチである。
【００３４】
停止ボタンユニット１３６には、３つの停止ボタン（左停止ボタン１３６ａ，中停止ボタン１３６ｂ，右停止ボタン１３６ｃ）が設けられている。各停止ボタンは、押下することによって対応するリール１１０〜１１２を停止させるボタン型のスイッチである。具体的には、左停止ボタン１３６ａを操作することによって左リール１１０が、中停止ボタン１３６ｂを操作することによって中リール１１１が、右停止ボタン１３６ｃを操作することによって右リール１１２がそれぞれ停止する。
【００３５】
各停止ボタンの内部にはランプ（図示せず）が設けられており、スタートレバー１３５が操作された後、リール１１０〜１１２の停止操作が可能な状態になると全ランプが点灯し、遊技者に停止操作が可能になったことを報知する。各停止ボタンのランプは各停止ボタンが押下される毎に消灯する。無論、停止操作可能な状態とその他の状態とでランプの発光色を変化させるように構成することもできる。
【００３６】
精算ボタン１３８は、遊技者が獲得したメダルを精算して排出する精算処理を行う場合に押下されるボタンである。なお、精算ボタン１３８は、遊技者がメダル投入口ブロック１３３から投入したメダルのうち所定枚数（例えば３枚）以上のメダルまたは入賞により獲得したメダルを最大５０枚まで貯留するか否かを切換える場合にも使用され、例えば、一回精算ボタン押下されて精算処理が行われると、非貯留モードが設定され、もう一度精算ボタン押下されると、貯留モードが設定される。ここに、メダルの貯留とは、メダルを直接払い出さずに、電子的にその枚数を後述する制御部に一時記憶しておくことを意味する。
【００３７】
キー孔１３９は、扉開閉用のキーを差し込む孔で、キーを差し込んで時計方向に回すとロックが解除され、スロットマシン１００の前面扉１０１を開けることができる。メダル排出口１６５は、メダルを排出するための開口であり、入賞時に払い出されるメダルはここから排出される。排出されたメダルは、受け皿１６０に溜まるようになっている。
【００３８】
上部ランプ１９０、サイドランプ１５１，１５２、中央ランプ１５３，１５４、腰部ランプ１５５，１５６、下部ランプ１５７，１５８は、遊技を盛り上げるための演出用のランプであり、遊技状態に応じて点灯／消灯／点滅する。また、図示を省略したタイトルパネルランプによりタイトルパネル１４０を照明する。本実施形態では、受皿１６０を透光性材料で構成し、受皿取り付け面からランプ光を入射させることで上記演出用のランプと同様の効果を発揮させるように構成している。また、受皿１６０には、着脱可能に構成した灰皿ユニット１７０が設けられている。
【００３９】
また、スロットマシンの上部（リール表示窓１１３の上方）中央部には、遊技に関する各種の情報（ゲームを盛り上げるためキャラクタ等を登場させるゲーム画面、スロットマシンの内部で異常が発生した場合にエラーの内容を表示するエラー画面など）を表示することができるＬＣＤ１８０が設けられており、このＬＣＤ１８０を用いて、各種スイッチ類（例えば、３枚メダル投入ボタン１３１や１枚メダル投入ボタン１３２，スタートレバー１３５，停止ボタン１３６ａ〜１３６ｃ，精算ボタン１３８等）に生じた動作不良に関する情報も報知する。
【００４０】
図２は、上述したスロットマシン１００において、前面扉１０１を本体２０１から開いた状態の斜視図である。本体１０２の内部や前面扉１０１の裏面側には、様々な装置が取り付けられている。ここで、前面扉１０１の裏面下部に止着する長尺な止着部材３００の取り付け工程に着目する。止着部材３００には、同じ規格のネジ４００でネジ止めするためのネジ穴３０１が複数箇所に設けられている。
【００４１】
このネジ止め作業を簡単に説明すると、複数のネジ４００が収納されたネジ収納具５００を片手で持ち、ネジ回し３１０の把持部３１１を他方の手で持ち、ネジ回し３１０のシャフト３１２をネジ収納具の後端開口５０２へ差し入れ、ネジ収納具５００の先端開口５０１をネジ穴３０１に合わせ、ネジ回し３１０を強めに押し込んだ上で、ネジ締め方向にネジ回し３１０を回すことで、ネジ４００をネジ穴３０１に締め付けるものである（図３参照）。
【００４２】
上記のような作業方法でネジ止めを行えるネジ４００の構造の一例を、図４（ａ１）および（ａ２）に示す。外周面にネジ山を形成した軸体４０１の一方端に大径の頭部４０２を形成し、この頭部４０２には、例えばプラスドライバーであるネジ回し３１０の刃先３１３（シャフト３１２の先端部）と係合する係合部４０２ａ（十字穴）を有し、軸体４０１の他方端（頭部４０２が形成されていない方の端部）である先端部４０１ａを、頭部４０２の係合部４０２ａに係合し得る係合形状（ネジ回し３１０の刃先３１３と同形状の十字）としたものである。
【００４３】
すなわち、軸体４０１の先端部４０１ａを頭部４０２の係合部４０２ａに係合し得る係合形状としたネジ４００においては、ネジ４００の頭部４０２の係合部４０２ａに他のネジ４００の軸体４０１の先端部４０１ａを係合させることで、ネジ４００を直列状（ネジ締めの回転軸が一直線上に揃う状態）に接続すると、最後端側のネジ４００の頭部４０２の係合部４０２ａにネジ回し３１０の刃先３１３を係合させてネジ締め方向へ回すことにより、直列状に接続された全てのネジ４００がネジ締め方向へ回転するので、ネジ穴３０１に位置合わせされている最先端側のネジ４００をネジ穴３０１に締め付けることができる。
【００４４】
そして、上述した構造のネジ４００を直列状に収納するネジ収納具５００の構造の一例を図５（ａ１）および（ａ２）に示す。ネジ収納具５００の外観は、両端が開放する長尺な円柱状で、その内部にネジ収納空部５０３が形成される。すなわち、ネジ収納空部５０３は、ネジ穴３０１に止め付けるネジ４００を送り出す先端開口５０１からネジ回し３１０の刃先３１１を挿入する後端開口５０２にかけて連通する略円筒状の空間であり、その径は、収納対象のネジ４００の頭部４０２の外径寸法より若干大きくなるように設定してある。
【００４５】
上記ネジ収納具５００の内面における先端開口５０１側適所には、突起状のネジ受け凸部５０４を形成し、ネジ４００の頭部５０２がこのネジ受け凸部５０４に引っ掛かることで、後端開口５０２から入れられたネジ４００が先端開口５０１から抜け出すことを防止できる。また、ネジ受け凸部５０４を有弾性素材で形成したり、合成樹脂等で形成するネジ収納具５００にネジ受け凸部５０４を一体成型することで、ネジ４００に適宜な押圧力（ネジ締め作業を行う作業員が負担を感じない程度の力）を与えると、ネジ４００の頭部４０２がネジ受け凸部５０４を越えて先端開口５０１から抜け出すようにしてある。
【００４６】
このように形成したネジ受け凸部５０４は、「常態では最も先端開口側にあるネジの頭部に当接してネジが先端開口へ抜け出すことを防止し、ネジに後端開口から先端開口側に向かう適宜な押圧力が与えられるとネジが先端開口へ抜け出すことを許容するストッパ手段」として機能する。なお、ネジ収納空部５０３内に多数のネジ４００を収納した状態で先端開口５０１を下向きにすると、受け凸部５０４には、収納されているネジ４００の総重量が掛かることとなるので、少なくとも、その総重量による押圧力に抗してネジ４００をネジ収納空部５０３内に止めておけるように、ネジ受け凸部５０４を構成しておく必要がある。また、ネジ受け凸部５０４の突出形状を、後端開口５０２側から先端開口５０１側に向って緩やかに傾斜するようにしておくことで、先端開口５０１に向ってネジ４００を円滑に押し出せるようにしても良い。
【００４７】
なお、ネジ受け凸部５０４の配設位置は特に限定されるものではないが、本実施形態においては、最も先端開口５０１側のネジ４００の軸体４０１の先端部４０１ａが先端開口５０１の開口端より突出しない位置で、ネジ４００の頭部４０２に引っ掛かる部位にネジ受け凸部５０４を設けるものとし、ネジ４００の先端部４０１ａが先端開口５０１から突出して邪魔にならないようにした。無論、先端部４０１ａが先端開口５０１から若干突出するようにネジ受け凸部５０４の配設位置を調節しておき、ネジ穴３０１にネジ４００の先端部４０１ａが軽く入ることでネジ締め作業に際しての位置決めが容易となるようにしても構わない。或いは、ネジ受け凸部５０４を先端開口５０１の近傍に設けておき、常態では最先端側のネジ４００の軸体４０１が先端開口５０１よりも適宜突出した状態でネジ収納具５００内に収納されるものでも良い。
【００４８】
また、上述したネジ収納具５００に収納してネジ締め作業を行えるネジとしては、十字の先端部４０１ａと十字穴の係合部４０２ａとを有するネジ４００に限定されるものではなく、ネジ回し３１０の刃先３１３に応じて種々のものを用いることができる。例えば、マイナスドライバの刃先に合わせる場合には、図４（ｂ１）および（ｂ２）に示すネジ４１０のように、頭部４１２に一本の溝状の係合部４１２ａを設け、この係合部４１２ａに係合し得る形状（マイナスドライバの刃先と同じマイナス形状）の先端部４１１ａを軸体４１１に設ける。六角レンチをネジ回しとして用いる場合には、図４（ｃ１）および（ｃ２）に示すネジ４２０のように、頭部４２２に六角形状の凹部である係合部４２２ａを設け、この係合部４２２ａに係合し得る形状（六角レンチと同じ六角形状）の先端部４２１ａを軸体４２１に設ける。
【００４９】
また、これらネジ４００，４１０，４２０等を収納するネジ収納具も、上述したネジ収納具５００に限定されるものではない。例えば、図５（ｂ）に示すネジ収納具５１０（先端開口５１１から後端開口５１２にかけて連通するネジ収納空部５１３を形成し、先端開口５１１側の内面適所にネジ受け凸部５１４を備える。）のように、後端開口５１２側にテーパ面５１５を形成して、ネジ４００等をネジ収納空部５１３内に入れ易くしても良い。
【００５０】
ここで、上記ネジ収納具５００，５１０に設けるネジ受け凸部５０４，５１４として、先端開口５０１，５１１から後端開口５０２，５１２へ向う膨出傾斜が、後端開口５０２，５１２から先端開口５０１，５１１へ向う膨出傾斜よりも急峻となる形状（ネジ受け凸部５０４，５１４の最膨出部が先端開口５０１，５１２寄りに生じ、最膨出部から先端開口５０１に向う傾斜よりも最膨出部から後端開口５０２へ向う傾斜の方がなだらかな形状）にしておけば、ネジ締め作業に際してネジ４００等をネジ収納具５００，５１０から押し出すことが容易となり、且つ、一旦ネジ受け凸部５０４，５１４を越えて押し出したネジ４００等がネジ受け凸部５０４，５１４を越えてネジ収納空部５０３，５１３内に戻り難い構造となる。
【００５１】
或いは、図５（ｃ）に示すネジ収納具５２０のように、第１開口５２１から第２開口５２２にかけて連通するネジ収納空部５２３を形成し、第１開口５２１から距離Ｌの位置に第１ネジ受け凸部５２４ａを、第２開口５２２から距離Ｌの位置に第２ネジ受け凸部５２４ｂを各々設け、ネジ収納空部５２３内に入れたネジ４００の向きに応じて、第１開口５２１および第２開口５２２を先端開口としても後端開口としても利用できるようにすれば、上述したネジ収納具５００，５１０のように、ネジ受け凸部５０４．５１４の配設位置からネジ４００を入れる向きを判断しなければならない煩雑さが無く、作業性の向上を期せる。しかも、上述したネジ収納具５００，５１０では、後端開口５０２，５１２を下向きにするとネジ収納空部５０３，５１３内に入れたネジ４００が抜け落ちてしまうが、ネジ収納具５２０においては、第１開口５２１を下に向けても第２開口５２２を下に向けても、ネジ収納空部５２３内に入れたネジ４００が抜け落ちてしまうことはない。
【００５２】
上記ネジ収納具５２０のように、どちら向きでも使える構造とした場合、第１開口５２１側に設ける第１ネジ受け凸部５２４ａの形状は、第１開口５２１から第２開口５２２へ向う膨出傾斜と、第２開口５２２から第１開口５２１へ向う膨出傾斜とが同じ傾斜となる形状（第１ネジ受け凸部５２４ａのほぼ中央が最膨出部となり、第１開口５２１側の傾斜と第２開口５２２側の傾斜がほぼ同じ形状）とし、且つ、第２開口５２２側に設ける第２ネジ受け凸部５２４ｂの形状は、第２開口５２２から第１開口５２１へ向う膨出傾斜と、第１開口５２１から第２開口５２２へ向う膨出傾斜とが同じ傾斜となる形状（第２ネジ受け凸部５２４ｂのほぼ中央が最膨出部となり、第２開口５２２側の傾斜と第１開口５２１側の傾斜がほぼ同じ形状）としておけば、第１開口５２１からネジ４００等を押し込んで第１ネジ受け凸部５２４ａを越えさせてネジ収納空部５２３内へ収納させる作業と、第１ネジ受け凸部５２４ａに頭部４０２が当たっているネジ４００等を第２開口５２２側から押して第１ネジ受け凸部５２４ａを越えさせて第１開口５２１から押し出す作業と、第２開口５２２からネジ４００等を押し込んで第２ネジ受け凸部５２４ｂを越えさせてネジ収納空部５２３内へ収納させる作業と、第２ネジ受け凸部５２４ｂに頭部４０２が当たっているネジ４００等を第１開口５２１側から押して第２ネジ受け凸部５２４ｂを越えさせて第２開口５２２から押し出す作業が、ほぼ同様に行えるので、第１，第２開口５２１，５２２のどちらからネジ４００等を収納する場合でも、ネジ収納作業およびネジ締め作業における作業効率を損なうことがない。また、第１，第２開口５２１，５２２のどちらからネジ４００等を収納した場合でも、ネジ４００等が第１，第２開口５２１，５２２から抜け落ち難い構造とすることも容易である。
【００５３】
なお、収納したネジをネジ収納空部内に止め置くためのストッパ手段は、上述したネジ受け凸部５０４，５１４，５２４ａ，５２４ｂのような小突起に限定されるものではなく、常態におけるネジ４００の抜け出し防止機能とネジ締め作業時における加圧動作での抜け出し許容機能を併せ持つものであれば、如何様な構成でも構わない。
【００５４】
例えば、図５（ｄ１）および（ｄ２）に示すネジ収納具５３０では、有弾性素材（例えば、軟質合成樹脂等）で形成した中空筒体の周面にコ字状の切欠部（ネジ止めの軸方向に平行で適宜な離隔距離を隔てた２箇所の縦切欠と、これら縦切欠の先端開口５３１側端部を繋ぐ１箇所の横切欠）を設けてネジ受け揺動片５３４とし、このネジ受け揺動片５３４における揺動自在な先端開口５３１側の内面にネジ受け部５３４ａを形成し、ネジ受け揺動片５３４が常態においては内壁面よりもネジ受け部５３４ａが突出した状態となることで、ネジ４００の頭部４００ａがネジ受け部５３４ａに当たって先端開口５３１から抜け出すことを防止し、ネジ４００を先端開口５３１から押し出す方向に押圧力が作用すると、ネジ４００の頭部４０２がネジ受け部５３４ａのテーパ面に沿って押されてゆき、これに伴ってネジ受け部５３４ａはネジ収納空部５３３から退避し（図５（ｄ２）中、破線で示す状態）、ネジ４００の頭部４０２がネジ受け部５３４ａから脱すると、有弾性のネジ受け揺動片５３４が速やかに常態に復帰することで、ネジ受け部５３４ａが内壁面よりもネジ収納空部５３３へ突出した状態に戻り、後続のネジ４００の頭部４００ａを受け止めることとなる。
【００５５】
上記ネジ収納具５３０においては、ネジ受け揺動片５３４の先端開口５３１側端部がネジ受け部５３４ａの最膨出部となるようにして、ネジ４００の送り出し方向に直交する屹立面をネジ受け部５３４ａの先端開口５３１側に生ぜしめたので、一旦ネジ受け部５３４ａを越えて押し出されたネジ４００が再びネジ収納空部５３３内に押し戻され、ネジ４００の頭部４０２が先端開口５３１側からネジ受け部５３４ａの屹立面に当たっても、ネジ受け揺動片５３４のネジ受け部５３４ａをネジ収納空部５３３内から外側へ退ける力として作用し難いので、ネジ受け揺動片５３４はネジ受け部５３４ａがネジ収納空部５３３内に突出する常態を保持することとなる。従って、ネジ締め作業中等に、一旦ネジ穴３０１へ向けて押し出したネジ４００が再びネジ収納空部５３３内へ戻ってしまうことを効果的に防止でき、作業性の向上に寄与できる。
【００５６】
また、先端開口側のネジに対してのみストッパ手段を設ける場合に限らず、例えば、各ネジ毎にストッパ手段を設けるものとし、ネジ収納空部内で各ネジがストッパ手段によって安定的に収納されるようにしても良い。斯くする場合には、収納されたネジ相互の適切な係合状態（互いに隣接するネジ頭部の係合部とネジ軸部の先端部とが適切に係合し、最後端側のネジをねじ回しで回した際に、最先端側のネジも適正に回る状態）が実現できるように、ストッパ手段の形成位置精度を高めておく必要がある。
【００５７】
上述したネジ収納具５００〜５３０は、樹脂の一体成型や複数パーツの融着等で作製しても良いし、金属製のパイプを加工して作製しても構わないが、以下に、一層簡便なネジ収納具の作製方法を、図６を参照して説明する。なお、本作製法では、第１開口５２１と第２開口５２２から距離Ｌの位置に各々第１，第２ネジ受け凸部５２４ａ，５２４ｂを設けたネジ収納具５２０を作製する。
【００５８】
ネジ収納具５２０を作製するために、軟質ゴムや発泡樹脂などを薄板状に加工した可撓性の長方形平面板（４つの角が全て直角の平面板で、長辺と短辺が等しい正方形の平面板も含む）であるシート材６００を用いる。このシート材６００は、内側に巻き込まれる内側辺６０１と、該内側辺６０１に対向する外側辺６０２と、第１開口５２１の端縁となる第１側辺６０３と、第２開口５２２となる第２側辺６０４の四辺を備え、シート材６００の巻き込み側となる内面６００ａ上の所要位置には、第１，第２ネジ受け凸部５２４ａ，５２４ｂとなるストッパ部材６０５を固着し、外側辺６０２の内面６００ａ上には帯状に接着部６０６を形成し、この接着部６０６を剥離紙６０７で保護してある。
【００５９】
また、上記シート材６００の内面６００ａ上には、巻き込み始める内側辺６０１を当接する位置の指標となる指標部６０８を設け、収納するネジのサイズに応じたネジ収納空部５２３を形成できるように利便性を高めてある。例えば、収納するネジ頭部の直径をＲとすると、内側辺６０１からＲ×πの位置（シート材６００の厚みを考慮すれば、それより若干遠い位置）に内側辺６０１を当接して巻き込み始めれば、頭部径Ｒのネジを収納可能なネジ収納空部を形成できるので、内側辺６０１から外側辺６０２に向けての離隔距離を示す目盛りを指標部６０８として設けても良い。或いは、ネジの標準規格（ＪＩＳやＩＳＯ等）に応じて、内側辺６０１を当接して巻き込み始める位置を記載することで指標部６０８としても良い。
【００６０】
上記のように構成したシート材６００の内側辺６０１を、指標部６０８を目安に位置決めして内面６００ａを巻き込んで行き、剥離紙６０７を剥がして露出させた接着部６０６を外面６００ｂに貼り付けると、シート材６００が筒状に保持され、その内部にはネジ頭部径に応じたネジ収納空部が形成されたネジ収納具５２０を作製できるのである。
【００６１】
図７（ａ），（ｂ）に示すのは連結ネジ部材７００で、上述したネジ４００〜４２０等を直列状に連結固定したような外観を呈する。すなわち、外周面にねじ山を形成した第１軸体７１１と六角形状の第１頭部７１２とから成る第１ネジ形成部７１０と、外周面にねじ山を形成した第２軸体７２１と六角形状の第２頭部７２２とから成る第２ネジ形成部７２０と、外周面にねじ山を形成した第３軸体７３１と六角形状の第３頭部７３２とから成る第３ネジ形成部７３０とを連結した構造で、第１ネジ形成部７１０と第２ネジ形成部７２０の連結部位には第１分離部７０１を形成し、第２ネジ形成部７２０と第３ネジ形成部７３０との連結部位には第２分離部７０２を形成したものである。
【００６２】
また、第３ネジ形成部７３０の頭部７３２には、ネジ回し３１０の刃先３１３と係合し得る係合部７３２ａ（例えば、十字の係合溝）を設けてあり、ネジ回し３１０で第３ネジ形成部７３０をネジ締め方向へ回転させると連結ネジ部材７００が回転し、最先端側の第１ネジ形成部７１０の軸体７１１もネジ締め方向へ回転する。従って、第１ネジ形成部７１０の軸体７１１の先端部７１１ａをネジ穴３０１に位置合わせし、連結ネジ部材７００をネジ回し３１０でネジ締め方向へ回転させることで、第１ネジ形成部７３０をネジ穴３０１に止着できるのである。
【００６３】
上記第１分離部７０１は、予め定めた所要の分離手法により第１ネジ形成部７０１と第２ネジ形成部７０２とを容易に分離させ得るものである。本構成例においては、第１ネジ形成部７１０と第２ネジ形成部７２０とを細部により連結することで第１分離部７０１を構成するものとした。このような第１分離部７０１として機能させ得る細部の太さは、ネジ材質によって適宜に設定すれば良いが、例えば、一般的な真鍮製ネジにおいては、軸体７１１の概ね半分の径で細部を形成すれば良い。斯くすれば、ネジ締め時にはネジ締めトルクによって第１分離部７０１が分離されない強度を保持しつつ、第１ネジ形成部７０１と第２ネジ形成部７０２を分離させたいときには、作業者の負担にならない程度の力で分離させることができる。
【００６４】
上記連結ネジ部材７００における第１分離部７０１の分離手法の一例としては、第１ネジ形成部７１０の軸体７１１をネジ穴３０１に止着した後に、第２ネジ形成部７２０および第３ネジ形成部７３０が収納されている連結ネジ部材収納具（後に詳述）を屈曲させる（第１ネジ形成部７１０の回転軸に対して第２ネジ形成部７２０の回転軸が角度を成すように、連結ネジ部材収納具を側方から押す）ことで、第１分離部７０１を折り、第１ネジ形成部７１０を第２ネジ形成部７２０から分離させる。分離した第１ネジ形成部７０１は、独立したネジ（本実施形態では六角ボルト）となり、六角形状の頭部７１２を用いてスパナやレンチで締めたり外したりできる。なお、軟質金属を用いた連結ネジ部材７００の場合、連結ネジ部材収納具を一度折り曲げただけでは第１分離部７０１が折れ難いこともあるが、そのような場合には、異なる方向（もしくは同じ方向）へ連結ネジ収納具を何度も折り曲げたり、或いは、連結ネジ部材収納具をネジ締め方向へ更に強く捩って第１連結部７０１を捩り切ったりしても良い。
【００６５】
第２分離部７０２も上記第１分離部７０１と同様の細部連結構造で、第２ネジ形成部７２０の軸体７２１をネジ穴３０１に止着した後に、第３ネジ形成部７３０が収納されている連結ネジ部材収納具を屈曲させることで、第２分離部７０２を折り、第２ネジ形成部７２０を第３ネジ形成部７３０から分離させる。分離した第２ネジ形成部７２０も、上記第１ネジ形成部７０１と同様に、独立したネジ（本実施形態では六角ボルト）となり、六角形状の頭部７２２を用いてスパナやレンチで締めたり外したりできる。
【００６６】
最後に残った第３ネジ形成部７３０は、単独のネジとして機能し、頭部７２２の係合部７３２ａを用いてネジ回し３１０で締めたり外したりできると共に、第１，第２ネジ形成部７１０，７２０と同様に、六角形状の頭部７３２を用いてスパナやレンチで締めたり外したりもできる。
【００６７】
なお、本実施形態の連結ネジ部材７００は、第１〜第３ネジ形成部７１０〜７３０を第１，第２分離部７０１，７０２を介して連結したが、これに限らず、２つのネジ形成部から連結ネジ部材を形成しても良いし、４つ以上のネジ形成部から連結ネジ部材を形成しても良い。また、連結ネジ部材７００を複数連結できるように、第１ネジ形成部７１０における軸体７１１の先端部７１１ａの形状を、第３ネジ形成部７３０における頭部７３２の係合部７３２ａに係合し得る形状としても良い。
【００６８】
また、第１，第２分離部７０１，７０２は上記の細部連結構造に限らず、第１ネジ形成部７１０と第２ネジ形成部７２０とが分離し易い処理、および第２ネジ形成部７２０と第３ネジ形成部７３０とが分離し易い処理が施されていれば、如何様な構造を採用しても良い。例えば、第１ネジ形成部７１０の頭部７１２後面と第２ネジ形成部７２０の軸体７２１先端との連結部、および第２ネジ形成部７２０の頭部７２１後面と第３ネジ形成部７３０の軸体７３１先端との連結部に切り込み（概ね、軸体の半分程度まで切り欠いた切り込み）を形成し、これを第１，第２分離部７０１，７０２とすれば、第１ネジ形成部７１０の軸体７１１もしくは第２ネジ形成部７２０の軸体７２１をネジ穴３０１に止着した後に、第２ネジ形成部７２０および第３ネジ形成部７３０が収納された連結ネジ部材収納具もしくは、第３ネジ形成部７３０が収納された連結ネジ部材収納具を側方から押して、第１，第２分離部７０１，７０２の切り込みを拡大させるように屈曲させ、第１ネジ形成部７１０と第２ネジ形成部７２０とを分離、或いは第２ネジ形成部７２０と第３ネジ形成部７３０とを分離させるようにしても良い。
【００６９】
図７（ｃ）に示すのは、上述した連結ネジ部材７００を収納する連結ネジ部材収納具８１０であり、第１〜第３ネジ形成部７１０〜７３０の頭部７１２，７２２，７３２が通過か可能な六角柱状の角筒体より形成し、連結ネジ部材７００における先端開口８１１（最先端側の第１ネジ形成部７１０の軸体７１１をネジ穴に送り出す開口）から後端開口８１２（ネジ回し３１０の刃先３１３を挿入する開口）にかけて連通する六角筒状の連結ネジ部材収納空部８１３を備えるもので、連結ネジ部材収納空部８１３の先端開口８１１側の適所には、抜け止め凸部８１４を設けてある。
【００７０】
上記抜け止め凸部８１４は、常態では最先端側にある第１ネジ形成部７１０の頭部７１２に当接して連結ネジ部材７００が先端開口８１１へ抜け出すことを防止し、連結ネジ部材７００に後端開口８１２から先端開口８１１側に向かう適宜な押圧力が与えられると、第１ネジ形成部７１０の頭部７１２が先端開口８１１へ抜け出すことを許容するストッパ手段として機能する。なお、収納した連結ネジ部材７００をネジ収納空部８１３内に止め置くためのストッパ手段も、上述したネジ受け凸部５０４，５１４，５２４ａ，５２４ｂのような小突起に限定されるものではなく、常態における連結ネジ部材７００の抜け出し防止機能とネジ締め作業時における加圧動作での抜け出し許容機能を併せ持つものであれば、如何様な構成でも構わない。また、抜け止め凸部８１４をストッパ手段として用いる場合、内壁面の１箇所に設けるだけでも良いし、六面の全てに夫々抜け止め凸部８１４を設けても良い。
【００７１】
上述した連結ネジ部材収納具８１０内に連結ネジ部材７００を収納して、最先端側の第１ネジ形成部７１０をネジ穴３０１に止着する場合、例えば、後端開口８１２から挿入したネジ回し３１０の刃先３１３を第３ネジ形成部７３０の頭部７３２の係合部７３２ａに係合させて連結ネジ部材７００をネジ締め方向へ回転できるようにして、第１ネジ形成部７１０の軸体７１１の先端部７１１ａをネジ穴３０１に位置合わせし、ネジ回し３１０を介して連結ネジ部材７００を先端開口８１１側へ加圧することで、第１ネジ形成部７１０の頭部７１２を抜け止め凸部８１４から抜け出させ、第１ネジ形成部７１０の頭部７１１のネジ山をネジ穴３０１のネジ溝に螺合させるようにネジ回し３１０をネジ締め方向へ回転させる。
【００７２】
このとき、連結ネジ部材収納具８１０は、連結ネジ部材７００と共にネジ締め方向へ回転するため、連結ネジ部材収納空部８１３内に収納されている第２ネジ形成部７２０と第３ネジ形成部７３０とを連結する第２分離部７０２に捩りモーメントは生じないので、細部結合構造の第２分離部７０２がねじ切れることはない。また、第１ネジ形成部７１０の頭部７１２を連結ネジ部材収納空部８１３内に止めおいた状態でネジ締め作業を行った場合には、第１ネジ形成部７１０と第２ネジ形成部７２０とを連結する第１分離部７０１に捩りモーメントは生じないので、細部結合構造の第１分離部７０１がねじ切れることを効果的に防止できる。
【００７３】
第１ネジ形成部７１０の軸体７１１がネジ穴３０１に締め付けた後、第２ネジ形成部７３０および第３ネジ形成部７４０が収納された状態の連結ネジ部材収納具８１０を傾倒させると、第１ネジ形成部７１０と第２ネジ形成部７２０の連結部である第１分離部７０１を折り曲げる力が作用し、屈曲限界を越えると第１分離部７０１が折れ、第１ネジ形成部７１０がネジ穴３０１に締め付けられたネジとして残る。なお、ニッパー等の切断具で第１分離部７０１を分離するようにしても良い。
【００７４】
上述した六角柱状の連結ネジ部材収納具８１０は、収納した連結ネジ部材７００と共にネジ締め方向へ回転するものであったが、これに限らず、上述したネジ収納具５００，５１０，５２０，５３０のように、内部の連結ネジ部材７００のみをネジ締め方向へ回転させるようなものでも良い。斯くする場合には、図７（ｄ）に示す連結ネジ部材収納具８２０のように、六角形状の第１〜第３ネジ形成部７１０，７２０，７３０の頭部７１２，７２２，７３２を収納可能な内径を有する円筒体とする。
【００７５】
上記連結ネジ部材収納具８２０は、第１開口８２１から第２開口８２２にかけて連通する連結ネジ部材収納空部８２３を形成し、第１開口８２１から距離Ｌの位置に第１抜け止め凸部８２４ａを、第２開口８２２から距離Ｌの位置に第２抜け止め凸部８２４ｂを各々設け、連結ネジ部材収納空部８２３内に入れた連結ネジ部材７００の向きに応じて、第１開口８２１および第２開口８２２を先端開口としても後端開口としても利用できるものとした。
【００７６】
なお、第１，第２抜け止め凸部８２４ａ，８２４ｂは、円環状の突起とすることで、六角形状の頭部７１２，７２２，７３２における６箇所全ての角部が引っ掛かるものとしたが、少なくとも頭部７１２，７２２，７３２における１箇所の角部が第１，第２抜け止め凸部８２４ａ，８２４ｂに当たれば抜け止め機能を発揮できるので、第１，第２抜け止め凸部８２４ａ，８２４ｂを６０゜程度の円弧状に設けることで、頭部７１２，７２２，７３２における１箇所又は２箇所の角部が引っ掛かるような構造でも良い。
【００７７】
また、円筒形状の連結ネジ部材収納具８２０を用いて収納した連結ネジ部材７００のネジ締め作業を行う場合には、ネジ回し３１０によって最後端側の第３ネジ形成部７３０の頭部７３２をネジ締め方向へ回して、最先端側の第１ネジ形成部７１０の軸体７１１をネジ穴３０１にネジ止めすることとなるため、細部連結構造の第１分離部７０１および第２分離部７０２に生ずる捩りモ−メントによって、第１ネジ形成部７１０，第２ネジ形成部７２０，第３ネジ形成部７３０が容易に分離してしまうことがないように、第１，第２分離部７０１，７０２の連結強度を確保しておく必要がある。
【００７８】
以上、本発明に係るネジおよびネジ収納具をいくつかの実施形態として説明したが、これらに限定されるものではなく、特許請求の範囲に記載の構成を変更しない限り、如何様な等価技術を転用して実施しても構わない。
【図面の簡単な説明】
【００７９】
【図１】スロットマシンの正面図である。
【図２】前面扉を開放したスロットマシンの斜視図である。
【図３】ネジ締め工程の説明図である。
【図４】ネジの斜視図である。
【図５】ネジ収納具の概略説明図である。
【図６】ネジ収納具の作製工程説明図である。
【図７】連結ネジ部材およびその収納具の概略説明図である。
【符号の説明】
【００８０】
１００    スロットマシン
３００    止着部材
３０１    ネジ穴
３１０    ネジ回し
３１３    刃先
４００    ネジ
４０１    軸体
４０１ａ  先端部
４０２    頭部
４０２ａ  係合部
５００    ネジ収納具
５０１    先端開口
５０２    後端開口
５０３    ネジ収納空部
５０４    ネジ受け凸部
【図１】
2006064135.tif 000003
【図２】
2006064135.tif 000004
【図３】
2006064135.tif 000005
【図４】
2006064135.tif 000006
【図５】
2006064135.tif 000007
【図６】
2006064135.tif 000008
【図７】
2006064135.tif 000009